(57)【特許請求の範囲】
【請求項１】
蓄電素子に測温センサを取り付けるためのセンサの取付構造であって、
前記蓄電素子が、
電極端子と、
ケース壁を備え、前記ケース壁の外面が電極配置面とされたケースと、
前記ケース壁に組み付けられて前記電極端子を前記ケース壁から絶縁しつつ保持する絶縁部材とを備え、
前記測温センサが、
温度検出素子を保持するとともに、前記電極配置面に当接する温度検知面を有する温度検出部と、
前記絶縁部材に係合する係合部と、
前記温度検出部を前記電極配置面に密着させるバネ部とを備える、センサの取付構造。
【請求項２】
前記バネ部が、
前記温度検出部から連なる第１変位部と、前記第１変位部に対して近接および離間する方向に変位する第２変位部とを有する調整部と、
前記第２変位部から連なり、前記温度検出部から離れるほど前記電極配置面に近づく向きに傾斜する傾斜部とを備え、
前記絶縁部材が、前記傾斜部を前記電極配置面に向かって押圧する押さえ部を備えている、請求項１に記載のセンサの取付構造。
【発明の詳細な説明】
【技術分野】
【０００１】
本明細書によって開示される技術は、センサの取付構造に関する。
【背景技術】
【０００２】
電気自動車やハイブリッド車の電源装置として、複数の単電池を並べて接続した電池モジュールが用いられる。このような電池モジュールでは、単電池が過熱すると寿命等に悪影響があるため、単電池の温度を監視する手段が講じられている。
【０００３】
単電池の温度を監視するために、サーミスタを絶縁樹脂製の包囲部で覆い、包囲部の左右両側に可撓部を介してロック部を設け、電池側の台板（樹脂部品）にロック部を係合させることによって、サーミスタを電池ケースに取り付ける構成が考案されている（特許文献１参照）。電池ケースに取り付けられた状態では、サーミスタは可撓部によって付勢され、電池ケースの上面に密着している。
【先行技術文献】
【特許文献】
【０００４】
【特許文献１】特開２００８−２９８６６２号公報
【発明の概要】
【発明が解決しようとする課題】
【０００５】
上記の構成では、台板を介している分だけ、センサ取り付けのための全体構造が複雑化する。
また、電池と台板とが相互に独立した寸法公差を有するため、電池とサーミスタとに相対的な位置ずれが生じる場合がある。このような位置ずれが生じると、サーミスタが電池ケースに対して浮いたり傾いたりして、測温の精度が低下するおそれがある。測温精度の低下を防ぐためには、可撓部のばねストロークを大きくする必要があり、取付構造が複雑化する。
【課題を解決するための手段】
【０００６】
本明細書によって開示されるセンサの取付構造は、蓄電素子に測温センサを取り付けるためのセンサの取付構造であって、前記蓄電素子が、電極端子と、ケース壁を備え、前記ケース壁の外面が電極配置面とされたケースと、前記ケース壁に組み付けられて前記電極端子を前記ケース壁から絶縁しつつ保持する絶縁部材とを備え、前記測温センサが、温度検出素子を保持するとともに、前記電極配置面に当接する温度検知面を有する温度検出部と、前記絶縁部材に係合する係合部と、前記温度検出部を前記電極配置面に密着させるバネ部とを備える。
【０００７】
上記の構成によれば、蓄電素子が備える絶縁部材を利用し、この絶縁部材に測温センサの係合部を係合させているので、従来の台板を介してサーミスタを電池に取り付ける構成と比較して、台板を介していない分だけ、センサ取り付けの全体構造を単純化できる。
また、台板を介していない分だけ、寸法公差の影響を小さくすることができるから、温度検出素子を電極配置面に密着させるためのばね構造を単純化することができる。
以上より、センサの取り付けのための構成を単純化しつつ、測温の精度を確保できる。
【０００８】
上記の構成において、前記バネ部が、前記温度検出部から連なる第１変位部と、前記第１変位部に対して近接および離間する方向に変位する第２変位部とを有する調整部と、前記第２変位部から連なり、前記温度検出部から離れるほど前記電極配置面に近づく向きに傾斜する傾斜部とを備え、前記絶縁部材が、前記傾斜部を前記電極配置面に向かって押圧する押さえ部を備えていてもよい。
【０００９】
上記の構成によれば、押さえ部が傾斜部を電極配置面に向かって押圧することによって、測温センサが、傾斜部の傾斜が緩くなり、一対の変位部が互いに離間するように変形し、温度検知面が電極配置面に向かって押し付けられた状態となる。このように、単純なばね構造で、温度検知面を電極配置面に密着させ、測温の精度を確保することができる。
【発明の効果】
【００１０】
本明細書によって開示される技術によれば、構成を単純化しつつ、測温の精度を確保できるセンサの取付構造を提供できる。
【図面の簡単な説明】
【００１１】
【図１】実施形態１において、測温センサが取り付けられた単電池の斜視図
【図２】実施形態１において、測温センサが取り付けられた単電池の部分拡大平面図
【図３】実施形態１において、測温センサが取り付けられた単電池の部分拡大側面図
【図４】図３のＡ−Ａ線断面図
【図５】図３の円Ｒ１内の拡大図
【図６】実施形態１の単電池の部分拡大斜視図
【図７】実施形態１の単電池の部分拡大側面図
【図８】図７のＢ−Ｂ線断面図
【図９】実施形態１の測温センサの斜視図
【図１０】実施形態１の測温センサの平面図
【図１１】実施形態１の測温センサの側面図
【図１２】図１０のＣ−Ｃ線断面図
【図１３】実施形態２において、測温センサが取り付けられた単電池の斜視図
【図１４】実施形態２において、測温センサが取り付けられた単電池の部分拡大平面図
【図１５】実施形態２において、測温センサが取り付けられた単電池の部分拡大側面図
【図１６】図１４のＤ−Ｄ線断面図
【図１７】図１５の円Ｒ２内の拡大図
【図１８】図１６の円Ｒ３内の拡大図
【図１９】図１６の円Ｒ４内の拡大図
【図２０】実施形態２の単電池の部分拡大斜視図
【図２１】実施形態２の単電池の部分拡大側面図
【図２２】図２１のＥ−Ｅ線断面図
【図２３】実施形態２の測温センサの斜視図
【図２４】実施形態２の測温センサの平面図
【図２５】図２４のＦ−Ｆ線断面図
【発明を実施するための形態】
【００１２】
＜実施形態１＞
実施形態１を、図１〜図１２を参照しつつ説明する。実施形態１のセンサの取付構造は、測温センサ３０を単電池１０（蓄電素子に該当）の電池ケース１１（ケースに該当）に取り付けるための構成である。
【００１３】
単電池１０は、図１に示すように、発電要素（図示せず）を収容する電池ケース１１と、正負一対の電極端子１４Ｐ、１４Ｎと、一対のインシュレータ２１Ｐ、２１Ｎとを備える。電池ケース１１は金属製であって、一面側に開口部を有する角型容器であるケース本体１２と、ケース本体１２の開口部を塞いで配置される蓋板１３（ケース壁に該当）とを備えている。蓋板１３は、細長い長方形の板状の部材であって、その外側面（図３の上面）は電極配置面１３Ｆとなっている。電極配置面１３Ｆからは、正負一対の電極端子１４Ｐ、１４Ｎが突出している。電極端子１４Ｐ、１４Ｎは円柱状をなし、電極配置面１３Ｆに対して垂直に立設されている。
【００１４】
一対のインシュレータ２１Ｐ、２１Ｎのそれぞれは、蓋板１３に組み付けられ、一対の電極端子１４Ｐ、１４Ｎのそれぞれを電池ケース１１に対して絶縁しつつ保持する部材である。一対のインシュレータ２１Ｐ、２１Ｎのうち一方のインシュレータ２１Ｐ（絶縁部材に該当）は、測温センサ３０を取り付けるための構成を有している。このインシュレータ２１Ｐは、図６に示すように、本体部２２と、一対の位置決めリブ２６、２６と、押さえ壁２７（押さえ部に該当）とを備えている。
【００１５】
本体部２２は、図６に示すように、電極配置面１３Ｆから外方に突出して配置される円柱状の部分であって、中心に孔部２２Ｈを有し、孔部２２Ｈの内部には一方の電極端子１４Ｐが挿通されている。
【００１６】
本体部２２は、測温センサ３０を保持するための一対の係合凹部２３、２３を有している。一対の係合凹部２３、２３は互いに同様の構成を有しているので、以下には、一方の係合凹部２３について詳しく説明し、他方の係合凹部２３については、一方の係合凹部２３の各部と同一の構成については同一の符号を付して説明を省略する。
【００１７】
係合凹部２３は、図７および図８に示すように、本体部２２の外周面２２Ｆを基準として凹み、電極配置面１３Ｆと、この電極配置面１３Ｆに対して平行に、隙間を空けて配置される天井面２４と、本体部２２の外周面２２Ｆに対して引っ込んで位置し、電極配置面１３Ｆと天井面２４とを繋ぐ奥壁面２５とで定義される凹部である。
【００１８】
奥壁面２５は、図８に示すように、本体部２２の外周面２２Ｆから、蓋板１３の長辺に対して平行に延びる乗り上げ面２５Ａと、この乗り上げ面２５Ａから連なり、乗り上げ面２５Ａに対して垂直に（蓋板１３の短辺に対して平行に）延びる係合受面２５Ｂと、この係合受面２５Ｂから斜めに延び、本体部２２の外周面２２Ｆに連なる傾斜面２５Ｃとを有している。
【００１９】
一対の位置決めリブ２６、２６のそれぞれは、図６および図８に示すように、本体部２２の外周面２２Ｆから、蓋板１３の長辺に平行に延びるすじ状の壁部であって、互いに平行に配置されている。
【００２０】
押さえ壁２７は、図６に示すように、本体部２２の外周面２２Ｆから、一対の位置決めリブ２６、２６と同方向に延びる板状の部分であって、電極配置面１３Ｆに対して間隔を空けて平行に配置され、一対の位置決めリブ２６、２６を電極配置面１３Ｆとの間で挟んで配置されている。図７に示すように、押さえ壁２７の一面（電極配置面１３Ｆと対向する面）は、天井面２４と面一となっている。
【００２１】
測温センサ３０は、図９に示すように、温度検出部３１と、この温度検出部３１から連なる組付部５１とを備える。
【００２２】
温度検出部３１は、角型容器状の素子収容部３２と、電線４２に接続され、素子収容部３２の内部に配置された温度検出素子４１と、温度検出素子４１を封止する樹脂封止部３７と、素子収容部３２から延びる一対の脚部３６、３６とを備える。
【００２３】
素子収容部３２は、図１２に示すように、枠部３３と伝熱板３５とで構成される。枠部３３は、図９および図１２に示すように、両端に開口部３４Ａ、３４Ｂを有する角筒状の部分であって、図１０に示すように、互いに平行に配置される一対の第１側壁３３Ａ、３３Ａと、一対の第１側壁３３Ａ、３３Ａに対して垂直な第２側壁３３Ｂおよび第３側壁３３Ｃを備えている。伝熱板３５は、図１２に示すように、枠部３３の一方の開口部３４Ａを塞ぐように配置された、金属製の矩形の板である。素子収容部３２において、伝熱板３５が配された面は、図３および図１２に示すように、測温センサ３０が単電池１０に取り付けられた状態で電極配置面１３Ｆに当接する温度検知面３１Ｆとなっている。
【００２４】
一対の脚部３６、３６のそれぞれは、図９および図１０に示すように、２つの第１側壁３３Ａのそれぞれから延びる板状の部分である。各脚部３６は、各第１側壁３３Ａにおいて温度検知面３１Ｆ側の端縁に沿って延びている。
【００２５】
枠部３３の内部には、図１２に示すように、温度検出素子４１が、伝熱板３５に当接して配置されており、この温度検出素子４１に接続された電線４２、４２が、枠部３３の他方の開口部３４Ｂから外部に導出されている。枠部３３の内部には封止用の樹脂を充填することによって樹脂封止部３７が形成されており、この樹脂封止部３７の内部に温度検出素子４１が埋め込まれている。
【００２６】
組付部５１（バネ部に該当）は、図９に示すように、温度検出部３１から連なる一対の延出部５６、５６と、一対の延出部５６、５６から連なる一対の調整部６１、６１と、一対の調整部６１、６１から位置決め受部５２を介して連なる一対の係合アーム５４、５４（係合部、傾斜部に該当）とを備えている。
【００２７】
一対の延出部５６、５６のそれぞれは、図９および図１０に示すように、枠部３３において第１側壁３３Ａと第２側壁３３Ｂとで構成される２つの角部のそれぞれから、第２側壁３３Ｂに対して垂直に延出された板状の部分である。各延出部５６は、各第２側壁３３Ｂにおいて温度検知面３１Ｆ側の端縁に沿って延びている。
【００２８】
一対の調整部６１、６１のそれぞれは、図３に示すように、測温センサ３０が単電池１０に取り付けられた状態で電極配置面１３Ｆとは反対側に向かって凸となるＵ字状に湾曲された、板バネ状の部分である。各調整部６１において、一対のＵ字の縦棒部分は、図５に示すように、互いに近接および離間する方向に変位する一対の変位部（第１変位部６２、第２変位部６３）となっており、第１変位部６２の一端と、第２変位部６３の一端とが、アーチ状の連結部６４によって連結されている。各調整部６１は、一端（第１変位部６２において連結部６４とは反対側の端縁）が、各延出部５６に接続しており、他端（第２変位部６３において連結部６４とは反対側の端縁）が、位置決め受部５２に接続している。
【００２９】
位置決め受部５２は、図１０に示すように、第２側壁３３Ｂと平行方向に延びる細長い板状の部分であって、２つの位置決め凹部５３を有している。各位置決め凹部５３は、位置決め受部５２において、温度検出部３１とは反対側の側縁を基準として凹む凹部であり、内部に、一対の位置決めリブ２６、２６のそれぞれの先端部を受け入れ可能となっている。
【００３０】
一対の係合アーム５４、５４のそれぞれは、図１０に示すように、位置決め受部５２の両端のそれぞれから、温度検出部３１とは反対方向に延びる、全体として細長い板状の部分である。一対の係合アーム５４、５４は、互いに平行に配置されている。各係合アーム５４の表裏両面のうち一方の板面は、図３に示すように、測温センサ３０が単電池１０に取り付けられた状態で電極配置面１３Ｆに対向する電池対向面５４Ｆである。
【００３１】
各係合アーム５４は、図１０および図１２に示すように、位置決め受部５２に接続されている一端を固定端５４Ｂとし、その反対側を自由端５４Ａとして、相手側の係合アーム５４に対して近接または離間する方向に撓み可能となっている。各係合アーム５４は、インシュレータ２１Ｐの係合受面２５Ｂに係止される係合突起５５を備えている。係合突起５５は、図１０に示すように、係合アーム５４の自由端５４Ａから、内側（相手側の係合アーム５４に近づく方向）に突出する板片状の部分である。
【００３２】
図３および図５に示すように、測温センサ３０が単電池１０に取り付けられた状態では、温度検出部３１が、温度検知面３１Ｆの全体を電極配置面１３Ｆに密着させて配置されるのに対し、位置決め受部５２および各係合アーム５４の固定端５４Ｂは、電極配置面１３Ｆに対してクリアランスＣ１を有する状態で配置される。そして、各係合アーム５４は、全体として、温度検出部３１から離れるほど電極配置面１３Ｆに近づくように傾斜している。
【００３３】
各係合アーム５４は、測温センサ３０が単電池１０に組み付けられていない単体での状態（図１１の状態）では、測温センサ３０が単電池１０に組み付けられた状態（図３の状態）よりも、温度検知面３１Ｆに対する傾きが大きくなっている。
【００３４】
測温センサ３０が単電池１０に組み付けられていない単体での状態における、２つの係合アームの固定端５４Ｂ、５４Ｂにおける電池対向面５４Ｆとは反対側の縁部５４ＢＥ、５４ＢＥを含み、温度検知面３１Ｆと平行な面を第１仮想面Ｆ１とし、２つの係合アーム５４の自由端５４Ａにおける電池対向面５４Ｆ側の縁部５４ＡＥ、５４ＡＥを含み、温度検知面３１Ｆと平行な面を第２仮想面Ｆ２としたとき、電極配置面１３Ｆと押さえ壁２７との距離Ｄ１は、係合アーム５４、５４の厚さ（電池対向面５４Ｆからその反対側の面までの距離）Ｔ１よりも大きく、第１仮想面Ｆ１と第２仮想面Ｆ２との距離Ｄ２よりも小さくなっている（図５、図１１参照）。
【００３５】
測温センサ３０を単電池１０に取り付ける際には、まず、電極配置面１３Ｆ上に、測温センサ３０を、温度検知面３１Ｆが電極配置面１３Ｆを向き、係合アーム５４、５４がインシュレータ２１Ｐを向くように配置する。この状態で、測温センサ３０をインシュレータ２１Ｐに向かって押圧し、各係合アーム５４を各係合凹部２３に進入させていく。各係合アーム５４は外側（相手側の係合アーム５４と離れる方向）に向かって撓み、係合突起５５が乗り上げ面２５Ａに乗り上げる。
【００３６】
さらに測温センサ３０を押し込んでいくと、図４に示すように、係合突起５５が乗り上げ面２５Ａを乗り越えて各係合アーム５４が弾性復帰する。係合突起５５が係合受面２５Ｂに係合することで、組付部５１がインシュレータ２１Ｐに対して組み付け状態に保持される。この状態では、図４に示すように、２つの位置決め受部５２、５２のそれぞれの内部に２つの位置決めリブ２６、２６の先端部のそれぞれが入り込むことによって、測温センサ３０が本体部２２の外周面２２Ｆに沿って回転しないよう、位置決めがなされる。
【００３７】
また、図３および図５に示すように、各係合アーム５４、５４が押さえ壁２７と電極配置面１３Ｆとの隙間に入り込む。ここで、上記したように、電極配置面１３Ｆと押さえ壁２７との距離Ｄ１は、第１仮想面Ｆ１と第２仮想面Ｆ２との距離Ｄ２よりも小さくなっているから、各係合アーム５４、５４が押さえ壁２７と電極配置面１３Ｆとの隙間に入り込むと、押さえ壁２７が係合アーム５４、５４の固定端５４Ｂ、５４Ｂを電極配置面１３Ｆに向かって押圧する状態となる。これにより、測温センサ３０は、単電池１０に対して組み付けられていない単体での状態よりも、係合アーム５４、５４の傾斜が緩くなり、一対の調整部６１、６１が拡開するように（第１変位部６２と第２変位部６３とが互いに離間するように）変形する。この変形に伴って、温度検知面３１Ｆが電極配置面１３Ｆに向かって押し付けられた状態となる。このようにして、温度検知面３１Ｆを電極配置面１３Ｆに密着させ、測温の精度を確保することができる。また、係合アーム５４、５４および一対の調整部６１、６１が、単電池１０の寸法公差に応じた変形量で変形することによって、単電池１０の寸法公差を吸収できる。
【００３８】
以上のように、本実施形態のセンサの取付構造は、単電池１０に測温センサ３０を取り付けるための構造である。単電池１０は、電極端子１４Ｐと、電池ケース１１と、インシュレータ２１Ｐとを備える。電池ケース１１は、蓋板１３を備え、蓋板１３の外面が電極配置面１３Ｆとされている。インシュレータ２１Ｐは、蓋板１３に組み付けられて電極端子１４Ｐを蓋板１３から絶縁しつつ保持する部材である。また、測温センサ３０は、温度検出素子４１を保持するとともに、電極配置面１３Ｆに当接する温度検知面３１Ｆを有する温度検出部３１と、インシュレータ２１Ｐに係合する一対の係合アーム５４、５４を備え、温度検出素子４１を電極配置面１３Ｆに密着させる組付部５１とを備えている。
【００３９】
上記の構成によれば、単電池１０が備えるインシュレータ２１Ｐを利用し、このインシュレータ２１Ｐに測温センサ３０の係合アーム５４、５４を係合させているので、従来の台板を介してサーミスタを電池に取り付ける構成と比較して、台板を介していない分だけ、センサ取り付けの全体構造を単純化できる。
また、台板を介していない分だけ、寸法公差の影響を小さくすることができるから、温度検出素子４１を電極配置面１３Ｆに密着させるためのばね構造を単純化することができる。
以上より、測温センサ３０の取り付けのための構成を単純化しつつ、測温の精度を確保できる。
【００４０】
また、一対の調整部６１、６１のそれぞれが、温度検出部３１から連なる第１変位部６２と、一対の係合アーム５４、５４に連なり、第１変位部６２に対して近接および離間する方向に変位する第２変位部６３とを備え、一対の係合アーム５４、５４が、温度検出部３１から離れるほど電極配置面１３Ｆに近づく向きに傾斜しており、インシュレータ２１Ｐが、係合アーム４５、４５を電極配置面１３Ｆに向かって押圧する押さえ壁２７を備えている。
【００４１】
上記の構成によれば、押さえ壁２７が係合アーム５４、５４を電極配置面１３Ｆに向かって押圧することによって、測温センサ３０は、係合アーム５４、５４の傾斜が緩くなり、一対の調整部６１、６１が拡開するように変形し、温度検知面３１Ｆが電極配置面１３Ｆに向かって押し付けられた状態となる。このように、単純なばね構造で、温度検知面３１Ｆを電極配置面１３Ｆに密着させ、測温の精度を確保することができる。
【００４２】
＜実施形態２＞
実施形態２を、図１３〜図２５を参照しつつ説明する。本実施形態のセンサの取付構造は、実施形態１と同様、測温センサ１３０を単電池１１０（蓄電素子に該当）の電池ケース１１（ケースに該当）に取り付けるための構成である（図１３参照）。本実施形態は、インシュレータ１２１Ｐ（絶縁部材に該当）および組付部１５１（バネ部に該当）の構成が実施形態１と異なる。本実施形態において、実施形態１と同様の構成には、同一の符号を付して説明を省略する。
【００４３】
インシュレータ１２１Ｐは、図２０および図２２に示すように、係合凹部１２３を有する本体部１２２と、一対の位置決めリブ１２６、１２６と、押さえ壁１２７（押さえ部に該当）とを備えている。本体部１２２は、図２０に示すように、電極配置面１３Ｆから外方に突出して配置される直方体状の部分であって、中心に孔部１２２Ｈを有し、孔部１２２Ｈの内部には一方の電極端子１４Ｐが挿通されている。
【００４４】
本体部１２２の４つの側壁面（蓋板１３と垂直な面）は、図２２に示すように、蓋板１３の長辺に平行な一対の長壁１２２Ｌ、１２２Ｌと、蓋板１３の短辺に平行な一対の短壁１２２Ｓ１、１２２Ｓ２とで構成されている。
【００４５】
係合凹部１２３は、図１６、図１９および図２２に示すように、一対の短壁１２２Ｓ１、１２２Ｓ２のうち一方の短壁１２２Ｓ１を基準として内側（他方の短壁１２２Ｓ２に向かう方向）に凹み、電極配置面１３Ｆと、この電極配置面１３Ｆに対して平行に、隙間を空けて配置される係合受面１２４と、短壁１２２Ｓ１に対して引っ込んで位置し、電極配置面１３Ｆと係合受面１２４とを繋ぐ奥壁面１２５とで定義される凹部である。係合凹部１２３は、一対の長辺間の中央位置に配置されている。
【００４６】
一対の位置決めリブ１２６、１２６のそれぞれは、図２０および図２２に示すように、本体部１２２の他方の短壁１２２Ｓ２から垂直に延びるすじ状の壁部であって、互いに平行に配置されている。
【００４７】
押さえ壁１２７は、図１６、図１８および図２０に示すように、本体部１２２の他方の短壁１２２Ｓ２から垂直に延びる板状の部分であって、電極配置面１３Ｆに対して間隔を空けて平行に配置されている。図２０に示すように、押さえ壁１２７は、一対の位置決めリブ２６、２６を電極配置面１３Ｆとの間で挟んで配置され、一対の位置決めリブ１２６、１２６に挟まれた中央部分は、位置決めリブ１２６、１２６と同じ位置まで延出されており、それよりも外側の部分は、中央部分よりも引っ込んで配置されている。なお、図１６、図１８および図１９においては、単電池１１０の断面を模式的に示している。
【００４８】
組付部１５１（バネ部に該当）は、図２３に示すように、測温センサ３０から連なる一対の延出部５６、５６と、一対の延出部５６、５６から連なる一対の調整部１６１、１６１と、一対の調整部１６１、１６１から連なる係合枠１５２（係合部、傾斜部に該当）とを備えている。
【００４９】
係合枠１５２は、図２３および図２４に示すように、矩形の枠状の部分であって、温度検出部３１の第２側壁３３Ｂに対して平行に、互いに間隔を空けて配置される一対の短枠部１５２Ｓ１、１５２Ｓ２と、一対の短枠部１５２Ｓ１、１５２Ｓ２に対して垂直に配置され、一対の短枠部１５２Ｓ１、１５２Ｓ２の端部同士を連結する一対の長枠部１５２Ｌ、１５２Ｌとを備えている。図１４に示すように、係合枠１５２は、インシュレータ１２１Ｐを囲んで配置され、一対の長枠部１５２Ｌ、１５２Ｌのそれぞれが一対の長壁１２２Ｌのそれぞれに沿って配置され、一方の短枠部１５２Ｓ１が一方の短壁１２２Ｓ１に沿って配置され、他方の短枠部１５２Ｓ２が他方の短壁１２２Ｓ２に沿って配置される。また、図１５に示すように、組付部１５１において、測温センサ１３０が単電池１１０に組み付けられた状態で、電極配置面１３Ｆと対向する端面は、電池対向面１５２Ｆとなっている。
【００５０】
一対の短枠部１５２Ｓ１、１５２Ｓ２のうち、温度検出部３１から離れた一方の短枠部１５２Ｓ１は、図２３および図２４に示すように、高背部１５２Ｈを有している。高背部１５２Ｈは、一対の長枠部１５２Ｌ、１５２Ｌ間の中央部分であって、高さ（電池対向面１５２Ｆからその反対側の端面までの距離）が、組付部１５１におけるその他の部分の高さよりも大きい部分である。
【００５１】
高背部１５２Ｈの一部は、ロックアーム１５３となっている。高背部１５２Ｈは、図２３に示すように、電池対向面１５２Ｆから延び、互いに間隔を空けて配置された一対のスリットＳを有しており、一対のスリットＳに挟まれた部分が、ロックアーム１５３となっている。ロックアーム１５３は、電池対向面１５２Ｆ側の一端を自由端、その反対側を固定端として、相手側の短枠部１５２Ｓ２に対して近接または離間する方向に撓み可能となっているとともに、係止爪１５４を備えている。係止爪１５４は、図２３に示すように、ロックアーム１５３の自由端から、相手側の短枠部１５２Ｓ２に向かって突出する突部である。
【００５２】
一対の短枠部１５２Ｓ１、１５２Ｓ２のうち、温度検出部３１に近い他方の短枠部１５２Ｓ２は、図２３および図２４に示すように、位置決め凹部１５５を有するとともに、位置決め凹部１５５の内部に配置される係合突起１５８を備えている。位置決め凹部１５５は、図２４に示すように、短枠部１５２Ｓ２の内側面（相手側の短枠部１５２Ｓ１を向く面）を基準として凹み、短枠部１５２Ｓ２の内側面に平行な奥壁面１５６と、この奥壁面１５６から短枠部１５２Ｓ２の内側面まで延びる一対の側壁面１５７とで定義される凹部である。この位置決め凹部１５５は、図１４に示すように、一対の位置決めリブ１２６、１２６の先端部を受け入れ可能となっている。係合突起１５８は、図１８、図２４に示すように、奥壁面１５６から相手側の短枠部１５２Ｓ１に向かって突出する突起であって、奥壁面１５６に対して垂直に延び、押さえ壁１２７と当接する当接面１５８Ｆを有している。
【００５３】
一対の調整部１６１，１６１のそれぞれは、図１５に示すように、測温センサ１３０が単電池１１０に取り付けられた状態で電極配置面１３Ｆとは反対側に向かって凸となるＵ字状に湾曲された、板バネ状の部分である。各調整部１６１において、一対のＵ字の縦棒部分は、図１７に示すように、互いに近接および離間する方向に変位する一対の変位部（第１変位部１６２、第２変位部１６３）となっており、第１変位部１６２の一端と、第２変位部１６３の一端とが、アーチ状の連結部１６４によって連結されている。各調整部１６１は、一方の端部（第１変位部１６２において連結部１６４とは反対側の端部）が、各延出部５６に接続しており、他方の端部（第２変位部１６３において連結部１６４とは反対側の端部）が、短枠部１５２Ｓ２において電池対向面１５２Ｆとは反対側の端縁に接続している。
【００５４】
図１５および図１７に示すように、測温センサ１３０が単電池１１０に取り付けられた状態では、温度検出部３１が、温度検知面３１Ｆの全体を電極配置面１３Ｆに密着させて配置されるのに対し、短枠部１５２Ｓ２は、電極配置面１３Ｆに対してクリアランスＣ２を有する状態で配置される。そして、係合枠１５２は、全体として、温度検出部３１から離れるほど電極配置面１３Ｆに近づくように傾斜している。
【００５５】
係合枠１５２は、測温センサ１３０が単電池１１０に組み付けられていない単体での状態（図２５の状態）では、測温センサ３０が単電池１０に組み付けられた状態（図１５の状態）よりも、温度検知面３１Ｆに対する傾きが大きくなっている。
【００５６】
測温センサ１３０が単電池１１０に組み付けられていない単体での状態において、短枠部１５２Ｓ１の電池対向面１５２Ｆ側の縁部１５２Ｅは、温度検知面３１Ｆを延長した延長面Ｆ３の面内に位置している。また、延長面Ｆ３と当接面１５８Ｆとの距離Ｄ３は、押さえ壁１２７と電極配置面１３Ｆとの距離Ｄ４よりも大きくなっている（図１８、図２５参照）。
【００５７】
測温センサ１３０を単電池１１０に取り付ける際には、まず、電極配置面１３Ｆ上に、測温センサ１３０を、温度検知面３１Ｆが電極配置面１３Ｆを向き、係合枠１５２がインシュレータ１２１Ｐを囲むように配置する。この状態で、係合枠１５２を電極配置面１３Ｆに向かって押圧していくと、係止爪１５４が本体部１２２の短壁１２２Ｓ１に乗り上げ、ロックアーム１５３が外側に向かって撓む。
【００５８】
さらに係合枠１５２を押し込んでいくと、図１６および図１９に示すように、係止爪１５４が係合凹部１２３に入り込み、ロックアーム１５３が弾性復帰する。また、図１６および図１８に示すように、係合突起１５８が押さえ壁１２７を乗り越えて、押さえ壁１２７と電極配置面１３Ｆとの隙間に入り込む。係止爪１５４が係合受面１２４に係合し、係合突起１５８が押さえ壁１２７に係合することで、係合枠１５２がインシュレータ１２１Ｐに対して組み付け状態に保持される。この状態では、図１４に示すように、２つの位置決め凹部１５５のそれぞれの内部に２つの位置決めリブ１２６、１２６の先端部のそれぞれが入り込むことによって、測温センサ１３０が本体部１２２の外周面２２Ｆに沿って回転しないよう、位置決めがなされる。
【００５９】
ここで、上記したように、延長面Ｆ３と当接面１５８Ｆとの距離Ｄ３は、押さえ壁１２７と電極配置面１３Ｆとの距離Ｄ４よりも大きくなっているから、押さえ壁１２７が係合突起１５８を電極配置面１３Ｆに向かって押圧する状態となる。すなわち、押さえ壁１２７が短枠部１５２Ｓ２を電極配置面１３Ｆに向かって押圧する状態となる。これにより、測温センサ１３０は、単電池１１０に組み付けられていない単体での状態よりも係合枠１５２の傾斜が緩くなり、一対の調整部１６１、１６１が拡開するように（第１変位部１６２と第２変位部１６３とが互いに離間するように）変形し、温度検知面３１Ｆが電極配置面１３Ｆに向かって押し付けられた状態となる。このようにして、温度検知面３１Ｆを電極配置面１３Ｆに密着させ、測温の精度を確保することができる。また、係合枠１５２および一対の調整部１６１、１６１が、単電池１１０の寸法公差に応じた変形量で変形することによって、単電池１１０の寸法公差を吸収できる。
【００６０】
以上のように、本実施形態のセンサの取付構造は、単電池１１０に測温センサ１３０を取り付けるための構造であって、単電池１１０が、電極端子１４Ｐと、電池ケース１１１と、インシュレータ１２１Ｐとを備える。電池ケース１１１は、蓋板１３を備え、蓋板１３の外面が電極配置面１３Ｆとされている。インシュレータ１２１Ｐは、蓋板１３に組み付けられて電極端子１４Ｐを蓋板１３から絶縁しつつ保持する部材である。また、測温センサ１３０が、温度検出素子４１を保持するとともに、電極配置面１３Ｆに当接する温度検知面３１Ｆを有する温度検出部３１と、インシュレータ１２１Ｐに係合する係合枠１５２を備え、温度検出素子４１を電極配置面１３Ｆに密着させる組付部１５１とを備えている。
【００６１】
上記の構成によれば、単電池１１０が備えるインシュレータを利用し、このインシュレータ１２１Ｐに測温センサ１３０の係合枠１５２を係合させているので、従来の台板を介してサーミスタを電池に取り付ける構成と比較して、台板を介していない分だけ、センサ取り付けの全体構造を単純化できる。
また、台板を介していない分だけ、寸法公差の影響を小さくすることができるから、温度検知面３１Ｆを電極配置面１３Ｆに密着させるためのばね構造を単純化することができる。
以上より、測温センサ１３０の取り付けのための構成を単純化しつつ、測温の精度を確保できる。
【００６２】
また、一対の調整部１６１、１６１のそれぞれが、温度検出部３１から連なる第１変位部１６２と、係合枠１５２に連なり、第１変位部１６２に対して近接および離間する方向に変位する第２変位部６３とを備え、係合枠１５２が、温度検出部３１から離れるほど電極配置面１３Ｆに近づく向きに傾斜しており、インシュレータ１２１Ｐが、係合枠１５２を電極配置面１３Ｆに向かって押圧する押さえ壁１２７を備えている。
【００６３】
上記の構成によれば、押さえ壁１２７が係合枠１５２を電極配置面１３Ｆに向かって押圧することによって、測温センサ１３０は、係合枠１５２の傾斜が緩くなり、一対の調整部１６１、１６１が拡開するように変形し、温度検知面３１Ｆが電極配置面１３Ｆに向かって押し付けられた状態となる。このように、単純なばね構造で、温度検知面３１Ｆを電極配置面１３Ｆに密着させ、測温の精度を確保することができる。
【００６４】
＜他の実施形態＞
本明細書によって開示される技術は上記記述及び図面によって説明した実施形態に限定されるものではなく、例えば次のような種々の態様も含まれる。
（１）上記実施形態では、温度検出素子４１がサーミスタであったが、温度検出素子としては、サーミスタに限らず、温度を検出可能な任意の素子を適宜に選択できる。
【００６５】
（２）実施形態１では、組付部５１に備えられた係合アーム５４、５４がインシュレータ２１Ｐと係合する構成を例示し、実施形態２では、組付部１５１に備えられた係合枠１５２がインシュレータ１２１Ｐと係合する構成を例示したが、測温センサの係合部と絶縁部材との係合構造は上記実施形態に限定されず、他の一般的な係合構造によって測温センサの係合部が絶縁部材に係合していても構わない。
【００６６】
（３）上記実施形態では、調整部６１、１６１がＵ字状であったが、調整部の形状は上記実施形態の限りではなく、例えば、第１変位部と第２変位部とが連結部を介さずに接続されているＶ字状であっても構わない。
【００６７】
（３）上記実施形態では、係合アーム５４および係合枠１５２が傾斜部となっていたが、傾斜部が係合部とは別に設けられていても構わない。
【符号の説明】
【００６８】
１０、１１０…単電池（蓄電素子）
１１…電池ケース（ケース）
１３…蓋板（ケース壁）
１３Ｆ…電極配置面
１４Ｐ…電極端子
２１Ｐ、１２１Ｐ…インシュレータ（絶縁部材）
２７…押さえ壁（押さえ部）
３０、１３０…測温センサ
３１…温度検出部
３１Ｆ…温度検知面
４１…温度検出素子
５１…組付部（バネ部）
５４…係合アーム（係合部、傾斜部）
６１…調整部
６２…第１変位部
６３…第２変位部
１５１…組付部（バネ部）
１５２…係合枠（係合部、傾斜部）
１６１…調整部
【図１】
0006279651.tif 000002
【図２】
0006279651.tif 000003
【図３】
0006279651.tif 000004
【図４】
0006279651.tif 000005
【図５】
0006279651.tif 000006
【図６】
0006279651.tif 000007
【図７】
0006279651.tif 000008
【図８】
0006279651.tif 000009
【図９】
0006279651.tif 000010
【図１０】
0006279651.tif 000011
【図１１】
0006279651.tif 000012
【図１２】
0006279651.tif 000013
【図１３】
0006279651.tif 000014
【図１４】
0006279651.tif 000015
【図１５】
0006279651.tif 000016
【図１６】
0006279651.tif 000017
【図１７】
0006279651.tif 000018
【図１８】
0006279651.tif 000019
【図１９】
0006279651.tif 000020
【図２０】
0006279651.tif 000021
【図２１】
0006279651.tif 000022
【図２２】
0006279651.tif 000023
【図２３】
0006279651.tif 000024
【図２４】
0006279651.tif 000025
【図２５】
0006279651.tif 000026